(57)【要約】【目的】読み取り精度の良い画像読取装置を提供すること。【構成】原稿搬送経路を境界として開閉可能な上下ユニットにより構成され、上ユニットに原稿画像を読み取るためのコンタクトイメージセンサ等の画像読取部を有し、下ユニットに原稿を搬送、排紙する手段を有する画像読取装置において、画像読取部を原稿通紙方向に移動可能とし、原稿通紙方向と鉛直方向を規制し、上ユニットに設けられた係合部を下ユニットに配置された原稿搬送ローラに係合することにより上ユニットと下ユニットを位置決めする。ここで、前記上ユニット係合部を上ユニットにコンタクトイメージセンサを固定する固定部材又はコンタクトイメージセンサの筐体で形成する。【選択図】      図１
2005027024.tif 000002
【特許請求の範囲】
【請求項１】
原稿搬送経路を境界として開閉可能な上下ユニットにより構成され、上ユニットに原稿画像を読み取るためのコンタクトイメージセンサ等の画像読取部を有し、下ユニットに原稿を搬送、排紙する手段を有する画像読取装置において、
画像読取部を原稿通紙方向に移動可能とし、原稿通紙方向と鉛直方向を規制し、上ユニットに設けられた係合部を下ユニットに配置された原稿搬送ローラに係合することにより上ユニットと下ユニットを位置決めすることを特徴とする画像読取装置。
【請求項２】
前記上ユニット係合部を上ユニットにコンタクトイメージセンサを固定する固定部材で形成することを特徴とする請求項１記載の画像読取装置。
【請求項３】
前記上ユニット係合部をコンタクトイメージセンサの筐体で形成することを特徴とする請求項１記載の画像読取装置。
【請求項４】
画像読み取り部を原稿搬送方向に移動可能にする構成を上ユニットと下ユニットの開閉ヒンジ部を丸ダボと原稿搬送方向に長い長穴で構成したことを特徴とする請求項１〜３の何れかに記載の画像読取装置。
【請求項５】
画像読み取り部を原稿搬送方向に移動可能にする構成をコンタクトイメージセンサを固定する取り付け板に原稿搬送方向に長い長丸穴で構成したことを特徴とする請求項１〜３の何れかに記載の画像読取装置。
【請求項６】
画像形成装置と一体に構成された多機能画像形成装置であることを特徴とする請求項１〜５の何れかに記載の画像読取装置。
【請求項７】
画像形成装置にオプション装着可能な請求項１〜５の何れかに記載の画像読取装置。
【発明の詳細な説明】
【０００１】
【発明の属する技術分野】
本発明は、ファクシミリ装置、複写機、ＭＦＰ（マルチファンクションンプリンタ）等のシートフィード方式有する画像読取装置に関するものである。
【０００２】
【従来の技術】
本発明の背景技術について説明する。近年、情報処理システムの発達に伴って種々の情報処理機器が開発されている。オフィス等で使用される複写機やレーザビームプリンタ等の機器のうち、特にデスクトップ型の小型機器には占有面積を含め小型化及び多機能化が求められている。そのため、装置本体を小型化しオプション機器を充実させることによってユーザの機能選択性を高めた形態、中でも画像処理機会は以前にも増して増え、画像読取装置をオプション設定する装置や画像読取装置と画像形成装置を一体的に構成した複合機が人気を集めている。
【０００３】
上記情報処理装置に用いられる読取部は、原稿像をＣＣＤ等の光電変換素子に導く縮小光学系とＣＣＤを原稿に近接させて原稿像をＣＣＤ等に等倍のまま導く等倍光学系（コンタクトイメージセンサ）との大きく２つに分けられる。
【０００４】
ここで、等倍光学系を用いた従来の原稿読取装置の一例を図７に示す。図７は従来の画像読取装置の断面図であり、制御基板２０１や原稿給送部２０２、原稿読取部２０３等によって構成されている。
【０００５】
上記給送部２０２は、原稿６をセットして積載するための原稿トレイ７、原稿６をガイドする上原稿ガイド２０７と下原稿ガイド２０８、複数枚の原稿６を順次送り出す原稿分離部２０６、光電変換素子を用いたコンタクトイメージセンサ１５、該コンタクトイメージセンサ１５の対向上面に原稿６の背景色（バックグランドカラー）となる読取基準板１６を含んで構成されている。尚、コンタクトイメージセンサ１５は、本体フレーム２０４に保持され、前記読取基準板１６は自重若しくはバネ等によってコンタクトイメージセンサ１５側に付勢されている。
【０００６】
原稿６の搬送に際しては、先ず、原稿分離ローラ１０と予備搬送板１１とで挟まれた原稿６が摩擦片１２によって１枚ずつ搬送される。そして、原稿６は、不図示の駆動モータとギア列により駆動が伝達され、搬送ローラ１３と対向の補助コロ１３ａによってコンタクトイメージセンサ１５と読取基準板１６との間を通過して排紙ローラ１７と対向の補助コロ１７ａによって図示矢印方向に排出される。又、原稿給送部と画像読取部は原稿滞留（ＪＡＭ）時や清掃し易いように通紙経路を境界とし、開閉ヒンジ２０５を中心に上方へ開閉可能になっている。このような原稿読取装置は、例えば特許文献１に記載されている。
【０００７】
ところが、上記例のように原稿読取用のコンタクトイメージセンサを原稿に対し下ユニットに配置した場合、排紙経路をＣ字にした場合に排紙された原稿の順番が逆になってしまう。この問題を解決するためにはコンタクトイメージセンサを上ユニットに配置する必要がある。
【０００８】
しかし、原稿読取部と原稿搬送部が上下ユニットに分離され、上ユニットと下ユニットとの位置決めを正確に設置しなければ、コンタクトイメージセンサに対して読み取り原稿が正確に送ることができない。
【０００９】
【特許文献１】
特開平７−６６９３２号公報（第３頁、図１）
【発明が解決しようとする課題】
しかしながら、装置を構成する部品のバラツキや開閉可能にするためのヒンジのガタ等により正確に位置決めするのは難しい。読み取り部のコンタクトイメージセンサと原稿を搬送する搬送ローラとの位置が正確に決まらない状態、例えば、搬送ローラ１３とコンタクトイメージセンサが平行に設置されないと、図８−Ａに示すように斜めの画像が発生する。
【００１０】
又、搬送ローラとコンタクトイメージセンサとの距離が長くなったり短くなったりすると、トップセンサからコンタクトイメージセンサまでの時間が長くなったり短くなったりするため、図８−ｂのようにシートの先端の余白が広くなったり、最悪の場合、図８−Ｃのように原稿の先端部が読み取れないという現象が発生する。
【００１１】
本発明は上記問題に鑑みてなされたもので、その目的とする処は、読み取り精度の良い画像読取装置を提供することにある。
【００１２】
【課題を解決するための手段】
上記目的を達成するため、本発明は、原稿搬送経路を境界として開閉可能な上下ユニットにより構成され、上ユニットに原稿画像を読み取るためのコンタクトイメージセンサを有し、下ユニットに原稿を搬送、排紙する手段を有する画像読取装置において、開閉可能な上ユニットの画像読取部を画像通紙方向に移動可能とし、画像通紙方向と鉛直方向を規制し、上ユニットに設けられた係合部を下ユニットに配置された原稿搬送ローラに係合することにより上ユニットと下ユニットの位置決めすることを特徴とする。
【００１３】
【発明の実施の形態】
以下に本発明の実施の形態を添付図面に基づいて説明する。
【００１４】
＜実施の形態１＞
本発明の実施例を図１及び図２に基づいて説明する。
【００１５】
本実施の形態に係る画像読取装置１は、図１に示すように、原稿通紙部を境界とし、開閉可能な画像読み取り部を有する上ユニット２と原稿を搬送する搬送ローラ１３を具備する下ユニット３及び原稿６を積載するための原稿台７によって構成されている。
【００１６】
上ユニットは、開閉ヒンジダボ４を下ユニットに配置された規制用長穴１８に差し込まれ、原稿通紙方向に移動可能に、更に開閉可能に設置されている。コンタクトイメージセンサ１５は、コンタクトイメージセンサ取り付け板５に固定され、取り付け板５の両サイドには半円状の切欠き５ａが原稿幅より広い部分に設けられている。
【００１７】
上ユニットが閉じている時には、前記切欠き５ａが下ユニットの搬送ローラ１３に係合している。そして、上ユニットの規制部分は、原稿通紙方向に移動可能に出来ているため、コンタクトセンサーは搬送ローラのアライメントと一致する。
【００１８】
原稿６は原稿台７に積載され、原稿６の幅方向を規制する幅規制板９により幅方向のガイドが行われる。複数枚の原稿６は、分離ローラ１０が不図示の駆動モータによって図示矢印方向に回転駆動され、予備搬送板１１が分離ローラ１０側に付勢されることによって摩擦片１２と分離ローラ１０との楔形状の位置まで搬送される。
【００１９】
そして、摩擦片１２により複数枚の原稿６は１枚ずつ捌かれ、搬送ローラ１３が駆動モータによって図示矢印方向に回転駆動されると、該搬送ローラ１３に対向する補助コロ１３ａの付勢力を得て搬送される。搬送ローラ１３の下流側にセンサーフラグ８が配置され、原稿が搬送されるとフラッグを押し下げることによりフラッグの反対側に設けられた不図示のフォトセンサにより原稿の先端を検知する。このとき、搬送ガイド１４は原稿６を分離ローラ１０からコンタクトイメージセンサ１５までガイドする。
【００２０】
コンタクトイメージセンサ１５の下部には、読取基準板１６がコンタクトイメージセンサ１５の読み取り幅全域を覆うように設けられている。尚、読取基準板１６は、原稿６のバックグランドカラーとなるとともに、読み取りにおける白基準を構成する。
【００２１】
又、コンタクトイメージセンサ１５の内部には、原稿６の照射する光源が配置されている。そして、排紙ローラ１７が駆動モータによって図示矢印方向に回転駆動されると、コンタクトイメージセンサ１５によって読み取られた原稿６が排紙ローラ１７に対向する補助コロ１７ａの付勢力を得て当該画像読取装置外へと図示矢印方向に排出される。
【００２２】
以上のように構成することにより、画像読取部と原稿搬送部のアライメントが高精度にでき、読取精度の良い画像読取装置を提供することができる。
【００２３】
しかも、コンタクトイメージセンサ取り付け板で係合部を構成することにより。コンタクトイメージセンサと搬送ローラとの距離が異なった製品の場合でも取り付け板を交換することにより対応できるため、高価なコンタクトイメージセンサを複数の製品に流用可能となる。
【００２４】
そして、係合部に取り付け板を使用したことにより部品点数を増やす必要がなく、低コストで読取性能を向上させることができる。
【００２５】
＜実施の形態２＞
本発明の実施の形態２は、図３に示すように、画像読み取り部と搬送ローラの係合をコンタクトイメージセンサ２５の筐体に構成された係合部２５ａで行うことを特徴とする。
【００２６】
コンタクトイメージセンサを構成する筐体部で直接搬送ローラに係合することにより複数部品の寸法のバラツキ、組立て誤差を無視することができるため、更に一段と読み取り精度の良い画像読取装置を提供することができる。
【００２７】
その他の構成については実施の形態１と同一構成のため、同一形状の部品は同一符号とし、その説明は省略する。
【００２８】
＜実施の形態３＞
本発明の実施の形態３は、画像読み取り部を原稿搬送方向に移動可能にする構成をコンタクトイメージセンサを固定する取り付け板に原稿搬送方向に長い長丸穴で構成したことを特徴とする。
【００２９】
図４は実施の形態３を示すコンタクトイメージセンサ取り付け板３５と上ユニットのフレーム３６である。取り付け板３５のフレーム取り付け部は、長穴３５ｂになっており、段ビス３７で図示矢印方向に移動可能に取り付けられている。下ユニット係合部は搬送ローラに係合するよう案内を設けた切欠き３５ａが配置されている。
【００３０】
上ユニットを閉めた時には取り付け板と、取り付け板に固定されたコンタクトイメージセンサの２部品が搬送ローラ軸と平行になるように移動することにより、原稿搬送と画像読み取り部のアライメントが高精度にできる。
【００３１】
その他の構成については実施の形態１と同一構成のため、同一形状の部品は同一符号とし、その説明は省略する。
【００３２】
＜実施の形態４＞
本発明の実施の形態４に係る多機能画像形成装置を図５に基づいて説明する。
【００３３】
多機能画像形成装置１  ００は、原稿画像読取部１５０、画像を記録する画像形成装置１５１、操作部１５２によって構成されている。
【００３４】
原稿画像読取部１５０は、原稿６に光を照射してその反射光を電気信号に変換し、この信号を操作モードに応じて他機に電装し、又は自己の記録系に電装するものである。その構成は実施の形態１の読取部と同一構成のため、同一形状の部品は同一符号とし、その説明は省略する。
【００３５】
操作部１５２は、コピー操作、  送信操作、スキャナー操作等を行うものである。操作カバー１５３にはダイヤルキー１５４等の各種操作に応じたキーや表示部が設けられている。この操作部１５２は、画像読取部の上部に回動可能に取り付けられている。
【００３６】
次に、画像形成部１５１について説明する。
【００３７】
画像形成部には、図５に示すように、一般にレーザビームプリンタと称するものが使用されている。１０１はレーザ発光装置を備えたスキャナーユニット、１０２は感光体２ａ、不図示の帯電ローラ、クリーニング手段、現像手段、トナー容器等を備えたプロセスカートリッジであり、スキャナーユニットから発せられたレーザ光は、プロセスカートリッジ１０２内のドラム状の感光体１０２ａ上に画像を形成する。
【００３８】
シート材を積載するための給紙トレイ１０３上にシート材Ｐを給送するための給送ローラ１０４とシート材Ｐを分離するための分離パッド１０５によって分離、給送されたシート材Ｐは、プロセスカートリッジ１０２内の感光体１０２ａ上に形成された像を転写ローラ１０６によって転写され搬送される。
【００３９】
シート上に像を形成されたシート材Ｐは、ヒータ、  フィルム等よって構成される発熱ユニット１０７と加圧ローラ１１１とで成る熱定着ユニットで熱と圧力により像をシート上に定着され、シートＰを排出するための排紙ローラ対１０８，１０８ａによって排出紙を積載するための排紙トレイ１０９上に排出、積載される。開閉カバー１１０は、装置本体１００に対して回動可能に取り付けられた装置本体内のプロセスカートリッジの脱着を可能とするための開閉ドアとしてのカートリッジドアであり、開閉カバー１１０をヒンジ１１０ａ中心に回動して開閉することで装置本体内のプロセスカートリッジ２の脱着を行う。
【００４０】
＜実施の形態５＞
前記実施の形態４では、画像形成装置としてレーザビームプリンタを記録手段として用いたがインクジェット方式を用いても良いことは勿論である。
【００４１】
＜実施の形態６＞
本実施の形態は、図６に示すように、本発明の画像読取装置１６０を画像形成装置１６１にオプションで取り付けたことを特徴とする。
【００４２】
画像読取部を画像形成装置に載せることによりより、不図示のロック機構にてロックされ、電気的結合は画像読取装置下面に配置された接続コネクタ１６２と画像形成装置上の接続コネクタ１６３に嵌合する。前記コネクタの少なくとも１ピンがフレームグランドと接続しており、画像読取装置で発生した静電気を画像形成装置の本体のフレームアースに落としている。
【００４３】
その他の構成については実施の形態１と同一構成のため、同一形状の部品は同一符号とし、その説明は省略する。
【００４４】
【発明の効果】
以上の説明で明らかなように、本発明によれば、開閉可能な上下ユニットの上ユニットのコンタクトセンサ近傍にて下ユニットの位置決めを行うことにより読取精度の高い画像読取装置を提供することができる。
【００４５】
又、発明によれば、位置決め部材にコンタクトセンサの固定部材又はコンタクトセンサの筐体を使用したことにより、部品点数を増やす必要がなく、低コストで読取性能を向上させることができる。
【図面の簡単な説明】
【図１】本発明に係るの画像読取装置の構成を示す断面図である。
【図２】本発明の実施の形態１に用いるコンタクトイメージセンサ取り付け板を示す斜視図である。
【図３】本発明の実施の形態２に用いるコンタクトイメージセンサを示す斜視図である。
【図４】本発明の実施の形態３に用いるコンタクトイメージセンサ取り付け板を示す斜視図である。
【図５】画像読取装置を一体化した多機能画像形成装置の断面図である。
【図６】オプション読取装置を装着したプリンタの斜視図である。
【図７】従来の画像読取装置の断面図である。
【図８】不具合画像の説明図である。
【符号の説明】
１    画像読取装置
２    上ユニット（画像読取部）
３    下ユニット（原稿給紙部）
４    開閉ヒンジダボ
５    コンタクトセンサー取り付け板
５ａ    係合部
６    原稿
７    原稿トレイ
８    センサーフラグ
１３    搬送ローラ
１５    コンタクトイメージセンサ
１５ａ  係合部
１８    規制用長穴
２５    コンタクトイメージセンサ
２５ａ  係合部
３５    コンタクトセンサ取り付け板
３５ａ  係合部
３５ｂ  長穴
３６    フレーム
３７    段ビス
１００  画像読取装置を一体化した多機能画像形成装置
１５０  原稿画像読取部
１５１  画像形成装置
１５２  操作部
１６０  オプション画像読取装置
１６１  画像形成装置
２０１    制御基板
２０２  原稿給送部
２０３  原稿読取部
２０４  フレーム
２０５  開閉ヒンジ
２０６  原稿分離部
【図１】
2005027024.tif 000003
【図２】
2005027024.tif 000004
【図３】
2005027024.tif 000005
【図４】
2005027024.tif 000006
【図５】
2005027024.tif 000007
【図６】
2005027024.tif 000008
【図７】
2005027024.tif 000009
【図８】
2005027024.tif 000010